(57)【要約】【課題】足先部位を上げて歩く特別な形態の歩行による運動効果を提供するとともに、中足骨部を基準として前後側での自然な勾配変化を形成することで柔らかな運動効果を提供することができ、十分な着用感及び快適感を保障することができる履き物のソール構造を提供すること。【解決手段】足裏のアウトラインに沿った概略的な形状で形成されるメインソール１００と、メインソール１００の中足骨部１１０の前部１２０全体に結合する前クッションソール２００と、メインソール１００の中足骨部１１０の後部１３０全体に結合する後クッションソール３００とを含み、前クッションソール２００または後クッションソール３００が歩行者の体重によって中足骨部１１０の前または後で圧縮され、中足骨部１１０を中心としてソール全体の勾配が変化することを特徴とする履き物のソール構造が提供される。【選択図】図１
0003126681.tif 000002
【実用新案登録請求の範囲】
【請求項１】
足裏のアウトラインに沿った概略的な形状で形成されるメインソールと；
前記メインソールの中足骨部の前部全体に結合する前クッションソールと；
前記メインソールの前記中足骨部の後部全体に結合する後クッションソールと；
を含み、
前記前クッションソールまたは前記後クッションソールが歩行者の体重によって前記中足骨部の前または後で圧縮され、前記中足骨部を中心としてソール全体の勾配が変化することを特徴とする、履き物のソール構造。
【請求項２】
前記後クッションソールは、前記メインソールの前記中足骨部の後部下面全体にわたって結合することを特徴とする、請求項１に記載の履き物のソール構造。
【請求項３】
前記前クッションソールは、前方に行くほど高くなり、
前記後クッションソールは、後方に行くほど厚くなることを特徴とする、請求項２に記載の履き物のソール構造。
【請求項４】
前記メインソールの踵部分に切開孔が形成され、
前記切開孔に対応する前記後クッションソールの部分は、突出して歩行者の踵と直接接触することを特徴とする、請求項３に記載の履き物のソール構造。
【請求項５】
前記メインソールの踵部分と前記踵部分に対応する前記後クッションソールの部分との間には、密閉空間が形成され、
一端が前記密閉空間内に位置し、他端が外部へ露出するチューブをさらに含むことを特徴とする、請求項３に記載の履き物のソール構造。
【請求項６】
前記密閉空間内の一部には、健康材料が充填されることを特徴とする、請求項５に記載の履き物のソール構造。
【請求項７】
前記チューブの前記他端は、足指のアーチ部位で外部へ露出することを特徴とする、請求項６に記載の履き物のソール構造。
【請求項８】
前記後クッションソールは、前記メインソールの前記中足骨部の後部上面全体にわたって結合することを特徴とする、請求項１に記載の履き物のソール構造。
【請求項９】
前記後クッションソールは、横方向に分離され、外側が内側より堅固な素材で形成されることを特徴とする、請求項１〜８のいずれかに記載の履き物のソール構造。
【請求項１０】
前記メインソールには、前記クッションソールと接触する部位で横方向に横切る空気トンネルが備えられることを特徴とする、請求項１〜９のいずれかに記載の履き物のソール構造。
【請求項１１】
前記空気トンネルは、前記メインソールの上面に貫通する空気循環溝を備えることを特徴とする、請求項１０に記載の履き物のソール構造。
【請求項１２】
前記空気トンネルが備えられた部位は、前記足指のアーチ部位及び足裏のアーチ部位であることを特徴とする、請求項１１に記載の履き物のソール構造。
【請求項１３】
前記空気循環溝が位置する部位に対応する空気循環孔を備えたインソールをさらに含むことを特徴とする、請求項１２に記載の履き物のソール構造。
【請求項１４】
前記メインソールの前記中足骨部には、前記メインソールの上面から多数の陥没孔が備えられ、
前記多数の陥没孔には、健康材料が充填されることを特徴とする、請求項１〜１３のいずれかに記載の履き物のソール構造。
【考案の詳細な説明】
【技術分野】
【０００１】
本考案は、履き物のソール構造に関する。
【背景技術】
【０００２】
履き物は、歩行時に足を保護するだけでなく、歩行時に着用者に伝わる衝撃を緩衝させる役目をするものである。また、履き物は、底層を成すソールに着用者の足を覆う甲皮が連結されて形成される。この際、ソールは、通常、単一のソールの上層をインソールで覆われて形成されるか、あるいは、アウトソールの上層にミッドソールが結合され、その上層をインソールで覆われて形成されるのが一般的である。
【０００３】
このような履き物におけるソールは、踵部位が足指部位に比べてやや高く形成されることが一般的である。この際、ソールは、踵部位から足指部位まで均一な構造及び素材で形成され、均一なクッション（弾力）を有する。
【０００４】
このような従来のソール構造が適用された履き物は、着用及び歩行時にいつも使われる筋肉のみを使うことになっているので、特別な運動効果を得るには不十分あった。
【０００５】
そこで、最近、均一な素材から形成されたソール構造自体を、踪部位が足指部位より低くなるように設計された履き物が提案されている。この構造を有する履き物は、着用及び歩行の時に際して、足先側が常時上げられた状態を維持することになって、平地を歩く時にもまるで山登りをするような運動効果を提供する。
【考案の開示】
【考案が解決しようとする課題】
【０００６】
しかし、従来のこのような運動目的の履き物は、運動効果のみを強調している。よって、適切な着用感を提供することができず、使用者の不便を引き起こしている。また、衝撃吸収のための設計においても、単純なクッションだけを備えるのみで、運動効果をむしろ相殺させることになる。よって、運動効果と着用感との調和の面で適切でないという問題点がある。また、その形態が一般の履き物とは余りにも違っていて、普段着用するには、不便であるという問題がある。
【０００７】
そこで、本考案は、上記問題に鑑みてなされたものであり、本考案の目的とするところは、足先部位を上げて歩く特別な形態の歩行による運動効果を提供するとともに、中足骨部を基準として前後側での自然な勾配変化を形成することで柔らかな運動効果を提供することが可能であり、十分な着用感及び快適感を保障することが可能な、新規かつ改良された履き物のソール構造を提供することにある。
【課題を解決するための手段】
【０００８】
上記課題を解決するために、本発明のある観点によれば、足裏のアウトラインに沿った概略的な形状で形成されるメインソールと、メインソールの中足骨部の前部全体に結合する前クッションソールと、メインソールの中足骨部の後部全体に結合する後クッションソールと、を含み、前クッションソールまたは後クッションソールが歩行者の体重によって中足骨部の前または後で圧縮され、中足骨部を中心としてソール全体の勾配が変化することを特徴とする、履き物のソール構造が提供される。
【０００９】
かかる構成により、着用時に、中足骨部を支点として、後クッションソールが圧縮されることで、メインソールは、前方から後方にかけて徐々に低くなる緩やかな傾斜を形成することができる。また、前クッションソールが圧縮されることで、前方から後方にかけて徐々に高くなるような緩やかな傾斜を形成することができる。また、着用及び歩行時に、前後クッションソールは、適度なクッション効果すなわち衝撃吸収効果をもたらす。
【００１０】
また、後クッションソールは、メインソールの中足骨部の後部下面全体にわたって結合してもよい。かかる構成により、後クッションソールが圧縮された際に、適度なメインソールの傾斜を形成することができる。また、着用時及び歩行時に、適度な衝撃吸収効果をもたらす。
【００１１】
また、前クッションソールは、前方に行くほど高くなり、後クッションソールは、後方に行くほど厚くなってもよい。かかる構成により、後クッションソールが圧縮された際に、適度なメインソールの傾斜を形成することができ、前クッションソールが圧縮された際に、適度なメインソールの傾斜を形成することができる。また、前クッションソールの前方が高くなることにより、歩行時に、前後の体重移動を容易にするとともに、地面に接触する際や、地面から離脱する際に、スムーズな足の運びを行うことができる。
【００１２】
また、メインソールの踵部分に切開孔が形成され、切開孔に対応する後クッションソールの部分は、突出して歩行者の踵と直接接触してもよい。かかる構成により、後クッションソールは、適度なクッション効果をもたらすことができる。
【００１３】
また、メインソールの踵部分と踵部分に対応する後クッションソールの部分との間には、密閉空間が形成され、一端が密閉空間内に位置し、他端が外部へ露出するチューブをさらに含んでもよい。かかる構成により、密閉空間が圧縮された際に、適度なメインソールの傾斜を形成するとともに、密閉空間内の空気が、チューブを介して外部に排出され、履き物内部の空気の循環を行うことができる。
【００１４】
また、密閉空間内の一部には、健康材料が充填されてもよい。かかる構成により、履き物内に排出される空気に、健康材料から人体に有益な成分が加えられるとともに、空気循環する際に、脱臭および吸湿等の作用を行うことができる。
【００１５】
また、チューブの他端は、足指のアーチ部位で外部へ露出してもよい。
【００１６】
また、後クッションソールは、メインソールの中足骨部の後部上面全体にわたって結合してもよい。かかる構成により、後クッションソールが圧縮された際に、適度なメインソールの傾斜を形成することができる。また、着用時及び歩行時に、適度な衝撃吸収効果をもたらす。
【００１７】
また、後クッションソールは、横方向に分離され、外側が内側より堅固な素材で形成されてもよい。かかる構成により、後クッションソールの外側の耐圧強度を高めることができる。
【００１８】
また、メインソールには、クッションソールと接触する部位で横方向に横切る空気トンネルが備えてもよい。かかる構成により、履き物内部の空気と、外気との空気循環をすることができる。
【００１９】
また、空気トンネルは、メインソールの上面に貫通する空気循環溝を備えてもよい。かかる構成により、履き物内部の空気と、外気との空気循環をすることができる。
【００２０】
また、空気トンネルが備えられた部位は、足指のアーチ部位及び足裏のアーチ部位であってもよい。
【００２１】
また、空気循環溝が位置する部位に対応する空気循環孔を備えたインソールをさらに含んでもよい。
【００２２】
また、メインソールの中足骨部には、上面から多数の陥没孔が備えられ、多数の陥没孔には、健康材料が充填されてもよい。かかる構成により、着用者の足裏に健康材料から人体に有益な成分が加えられるとともに、履き物内部の脱臭および吸湿等の作用を行うことができる。
【考案の効果】
【００２３】
以上説明したように、本考案によれば、足先部位を上げて歩く特別な形態の歩行による運動効果を提供するとともに、中足骨部を基準として前後側での自然な勾配変化を形成することで柔らかな運動効果を提供することができ、十分な着用感及び快適感を保障することができる。
【考案を実施するための最良の形態】
【００２４】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００２５】
以下、添付図面に基づいて、本考案の実施形態にかかる履き物のソール構造をより詳細に説明する。
【００２６】
図１は、本考案の実施形態にかかる履き物のソール構造を示す分解斜視図である。図２は、図１の本実施形態にかかるソール構造を持つ履き物のＡ−Ａ’線に沿った内部及び外部構造を示す断面図である。図３は、本実施形態にかかるソール構造の着用後、立っている状態を示す断面図である。図４は、本実施形態にかかるソール構造の着用後、歩行する状態を示す断面図である。図５は、本実施形態にかかるソール構造を持つ履き物のＢ−Ｂ’線に沿った断面図である。図６は、本実施形態にかかる履き物のソール構造の変形例を示す分解斜視図である。図７は、図６の本実施形態にかかるソール構造の変形例を有する履き物を示す断面図である。図８ａと図８ｂは、本実施形態にかかる履き物のソール構造の多様な変形例を示す断面図である。図９ａ〜図９ｃは、本実施形態にかかるソール構造を持つ他の履き物の内部及び外部を示し、本実施形態にかかる履き物のソール構造のその他の多様な変形例を示す断面図である。
【００２７】
本考案の実施形態にかかる履き物のソール構造は、クッションの素材がそれぞれ相違なるメインソール１００と、前クッションソール２００と、後クッションソール３００とを含む。
【００２８】
実施形態を示す図１に示すように、メインソール１００は、ソール全体の構造のメインフレームの役目をするもので、着用者の足裏全体の輪郭と一致するアウトラインを有す。また、メインソール１００は、歩行によって曲がるほどの弾性のみを持つ堅固な素材で形成され、着用者の全体荷重を支える。
【００２９】
図２に示すように、メインソール１００の厚さは、足裏の中足骨にあたる部分に位置する中足骨部１１０が一番厚く、中足骨部１１０の前部１２０及び後部１３０が相対的に薄く形成されている。また、メインソール１００の底面は、中足骨部１１０の底面が一番低く位置し、中足骨部１１０から前後方向に行くほど高くなるよう形成される。よって、メインソール１００は、中足骨部１１０から前後方向にいくほど、底面が高くなりながら、徐々に厚さが薄くなるよう形成される。また、メインソール１００の上面は、前後両端の絶対的高さが前後両方にいくほど高くなるように形成される。
【００３０】
このような中足骨部１１０の薄肉部である前部１２０及び後部１３０には、それぞれ前クッションソール２００及び後クッションソール３００が配置される。メインソール１００の底面の形状に対応して、後クッションソール３００は、後方に行くほど厚く形成され、前クッションソール２００は、前方に行くほど厚く、前方に行くほど底面及び上面が高くなるよう形成される。すなわち、前クッションソール２００は、前方に行くほど反り上がるように形成される。よって、メインソール１００に、前クッションソール２００及び後クッションソール３００を結合したソール全体は、概して均一な厚さの形状を成す。
【００３１】
このような前クッションソール２００及び後クッションソール３００は、伸縮性の高い素材で形成される。よって、着用及び歩行する際、前クッションソール２００及び後クッションソール３００は、クッションとして作用し、メインソール１００は、中足骨部１１０を基準（支点）としてシーソーのような作用をする。
【００３２】
すなわち、図４に示すように、履き物着用者の荷重は、堅固なメインソール１００を押し、メインソール１００は、後クッションソール３００が荷重を吸収しクッションの役割を果たしながら圧縮されることにより、後方に傾く。すなわち、メインソール１００の上面のソール全体の底面（この場合、後クッションソール３００と前クッションソール２００の底面）に対する勾配が、後方に傾く（後方が低くなる）。この際、メインソール１００は、両クッションソール２００、３００によって底面を支持されていない中足骨部１１０を支点として傾く。しかし、メインソール１００は、堅固な素材で形成されるため、全体的な傾斜を成しながら傾く。この際、特に後クッションソール３００が後方に行くほど厚くなる構造を有するので、十分な傾きを保障することができる。
【００３３】
このように、着用状態でメインソール１００が後方に傾けば体重の中心が後方に偏る。よって、着用者は、身体の中心を維持するために、普段あまり使わない特定部位の筋肉を使用することになるので、運動効果を得ることができる。この際、後方に傾く程度が大きければ大きいほど高い運動効果を得ることができるのは、自明である。
【００３４】
一方、人の各足の左右方向（内側−外側方向）における重量中心（体重がかかる中心点）は、通常足の中心部ではなく外側部にある。
【００３５】
したがって、着用者が本実施形態にかかる履き物を着用した際、後クッションソール３００は、左右方向に均一に圧縮されず、外側が内側に比べて大きく圧縮される。よって、メインソール１００は、外側にさらに傾き、後クッションソール３００が不均一に圧縮される。したがって、履き物の損傷はもちろん、着用者の脚が曲がるという問題が発生しうる。
【００３６】
このように後クッションソール３００が不均一に圧縮されることを防止するために、後クッションソール３００は、図５に示すように、内側部３２０と、外側部３１０とを備える。内側−外側方向（横方向）に後クッションソール３００を分離し、外側部３１０を内側部３２０より堅固な素材で構成することで、内側部３２０が荷重によって相対的に大きく圧縮される。よて、後クッションソール３００が側方向に均一に圧縮されるようにすることができる。
【００３７】
一方、図３に示すように、このような着用状態で、着用者が歩行して重量中心（重心または着用者の体重がかかる点）が前方へ移れば、まず、重量中心が後クッションソール３００から中足骨部１１０に移り、荷重はメインソール１００の中足骨部１１０によって支えられる。そして、後クッションソール３００に加えられた荷重はゆっくり除去される。次に、重量中心がさらに前方へ移れば、重量中心が前クッションソール２００に移り、荷重が前クッションソール２００に加えられる。この際、前クッションソール２００が圧縮されるとともに、メインソール１００が中足骨部１１０を支点として傾く。すなわち、メインソール１００の上面のソール全体の底面（この場合、後クッションソール３００と前クッションソール２００の底面）に対する勾配が、前方に傾く（前方が低くなる）。よって、全体的には通常の履き物より前方へ傾くことになる。
【００３８】
このように、メインソール１００が前方へ大きく傾けば、体重の中心が前方に偏ることになるので、着用者は、身体の中心を維持するために、普段あまり使わない特定部位の筋肉を使用することになるので、運動効果を得ることができる。
【００３９】
一方、支点となる中足骨部１１０を基準として前クッションソール２００と後クッションソール３００とがそれぞれ前後方向に行くほど高く（暑く）なる構造を有することにより、全体的な歩行において、履き物がクッションによってすぼっと落ちる現象（履き物のクッションが踵にかかる加重によって、急圧縮され、落ち込む現象）を防止することができる。よって、さらに柔らかな運動効果（適度な運動効果）及び着用感を提供することができるのは自明な事実である。
【００４０】
一方、本実施形態にかかる履き物のソール構造においては、着用者により良いクッション感をさらに提供するために、図１のように、メインソール１００の踵部位（着用者の踵が接する部位）が後クッションソール３００に直接接触するようにすることもできる。
【００４１】
すなわち、メインソール１００は、踵部分に一定大きさの切開孔１４０を有し、後クッションソール３００は、切開孔１４０と対応する部分に突出部３３０を有してもよい。突出部３３０を付け加え、突出部３３０を切開孔１４０を通じて突出させることにより、着用者の踵は、堅固なメインソール１００でない伸縮性ある後クッションソール３００が直接接触するようにする。
【００４２】
したがって、歩行に際し、メインソール１００の全体勾配が両クッションソール２００、３００によって変わることとは別に、着用者の踵は、後クッションソール３００によってより良い（より弾力性の有る）クッション効果（衝撃吸収効果）を受ける。よって、足首と関節を保護するとともに脊髄を固定してより正しい姿勢の歩行を可能にする。
【００４３】
また、図６及び図７に示すように、本実施形態にかかる履き物のソール構造の変形例として、歩行によって履き物内部の空気をポンピングして快適感を向上させるためのポンプ構造を持つこともできる。
【００４４】
図６に示すように、メインソール１００の踵部位には、上向きに凹んでいる第１ポンプ形成凹部１９０が備えられ、これに対応する後クッションソール３００の踵部分には、下向きに凹んでいる第２ポンプ形成凹部３４０が備えられる。よって、後クッションソール３００がメインソール１００に結合されれば、第１ポンプ形成凹部１９０と第２ポンプ形成凹部３４０とによって空間（密閉空間）が形成され、この空間は、密閉される。
【００４５】
この際、チューブ６００が、密閉した空間の内部に一端が位置するように、取り付けられる。よって、歩行による荷重が踵部分に加えられれば、密閉した空間は、縮小しながら、空間の内部空気をチューブ６００を通じて外部へ排出させる。
【００４６】
特に、チューブ６００は、メインソール１００に形成されたチューブ定着溝１９５に定着されるので、履き物の着用感には影響を与えない。この際、チューブ６００の他端は、足指のアーチ部の空気循環溝１６０に位置させることで、ポンピングされた空気を空気トンネル１５０及び足指アーチに存在する空間に排出させることにより、快適感をさらに高めるようにしてもよい。よって、チューブ６００の他端は、空気循環溝１６０を介して、足指のアーチ部位の位置で外部に露出されている。
【００４７】
そして、第２ポンプ形成凹部３４０には、例えば、水脈中和剤、天然玉、黄土、バイオセラミック、炭など、健康に有益な成分を発生し、湿気及び悪臭を除去するのに役立つ健康材料３５０を一部充填することにより、ポンピングされる空気に影響を及ぼして健康に役立つようにしてもよい。ここで水脈中和剤とは、地下に流れる水により人体が影響を受ける水脈現象を中和する物質である。
【００４８】
一方、このようなポンプ構造によって踵部分が急激に落ちることを防止するために、第２ポンプ形成凹部３４０の中心部に支持柱（図示せず）を形成することで、荷重を支えながら踵部位が適度に落ちるようにすることもできる。
【００４９】
そして、本実施形態にかかる履き物のソール構造において、前クッションソール２００と後クッションソール３００は、それぞれ分離して別にメインソール１００に結合されることもできるが、図６に示すように、小さな縦方向の幅（薄い厚み）を持つ連結部２５０によって一体に製造してもよい。連結部２５０は、連結部２５０を収容し得るほどの凹部（図示せず）を持つメインソール１００に結合することが、製造の便宜上、結合状態の堅固性及び中足骨部のクッション補強のために望ましい。
【００５０】
本実施形態においては、後クッションソール３００が中足骨部１１０の後でメインソール１００の下端に結合するものを例示したが、本考案は、これに限定されるものではない。例えば、本実施形態にかかるソール構造を持つ履き物の多様な変形例として、図８ａ、図８ｂに示すように、後クションソール３００は、多様な方式（形状、結合形態）でメインソール１００と結合することもできる。図８ａに示すように、後クッションソール３００がメインソール１００の上面に配置されることも可能である。すなわち、図８ａに示すように、前クッションソール２００と後クッションソール３００は、結合されなくてもよい。また、前クッションソール２００は、メインソール１００の下面に配置され、後クッションソール３００は、メインソール１００の上面に配置されてもよい。また、図８ｂに示すように、前クッションソール２００と後クッションソール３００は、結合され、共に、メインソール１００の上面に配置されてもよい
【００５１】
また、図９ａ〜ｃに示すように、前クッションソール２００と後クッションソール３００をメインソール１００の下面に配置する場合でも、多様な方式（形状、結合形態）が可能である。図９ａ〜ｃに示すように、後クッションソール３００は、図１に示す本実施形態にかかるソール構造が有する突出部３３０を備えず、着用者の踵は、メインソール１００に直接接触するようにしてもよい。そして、図９ａに示すように、メインソール１００が備える空気トンネル１５０の位置が、図２に示した位置とは違っていてもよい。また、図９ｂに示すように、メインソール１００は、図２や図９ａに示すメインソール１００が有する空気トンネル１５０を備えなくてもよく、図９ｃに示すように、前クッションソール２００と後クッションソール３００とは、結合されずに、構成されてもよい。
【００５２】
一方、本実施形態にかかる履き物のソール構造は、空気トンネル１５０及び空気循環溝１６０を備えることができる。
【００５３】
空気トンネル１５０は、クッションソール２００、３００と接触するメインソール１００の足指アーチ部位及び足裏アーチ部位に横（左右方向）に横切って形成された凹溝を、クッションソール２００、３００が覆うことにより、形成される。このような空気トンネル１５０には、空気循環溝１６０がメインソール１００の上面に貫通して複数備えられる。すなわち、メインソール１００の上部に位置する空間と、空気トンネル１５０の内部とは、空気循環溝１６０を介して結合している。
【００５４】
このような空気トンネル１５０及び空気循環溝１６０は、歩行の時ごとに、メインソール１００が曲がることで空気トンネル１５０が膨脹及び収縮して空気をポンピングすることにより、足指アーチ部位及び足裏アーチ部位に局所的に集中する湿気及び熱気を空気循環溝１６０を通じて循環させる。よって、快適な履き物内環境を維持し、水虫を防止し、足の臭いを除去することができる。
【００５５】
そして、このような履き物のソール構造に適用されるインソール５００は、空気循環溝１６０が位置する部位に対応して空気循環孔５１０を具備する。よって、インソール５００は、空気の循環に邪魔とならない。また、インソール５００は、後クッションソール３３０の突出部３３０に対応した位置に、切開孔５４０を備えてもよい。この切開孔５４０は、メインソール１００の切開孔１４０と同様に、突出部３３０を突出させ、着用者の踵を直接後クッションソール３００に接触させる。よって、着用者の踵は、後クッションソール３００によってより良い（より弾力性の有る）クッション効果（衝撃吸収効果）を受ける。
【００５６】
一方、メインソール１００の中足骨部１１０は、堅固な素材で形成されるので、歩行時に前後クッションソール２００、３００が圧縮される基準支点となる。この中足骨部１１０には、中足骨部１１０の機能に影響を与えない範囲内で多数の陥没孔１７０を上面から形成することもできる。
【００５７】
このような陥没孔１７０は、素材の節約または重さ低減のために、空洞の状態で維持することもできるが、例えば、水脈中和剤、天然玉、黄土、バイオセラミック、炭など、健康に有益な成分を発生し、湿気及び悪臭を除去するのに役立つ健康材料１８０を充填してもよい。この健康材料１８０を充填することにより、人体に一層有益な影響を与えることができる。
【００５８】
前記のような本実施形態にかかるソール構造は、メインソール１００、前後クッションソール２００、３００が一体に結合して一体のソールを成し、一体のソール全体で単一のアウトソールを構成し、甲皮４００と連結することで履き物を形成することができる。また、一体のソール全体でミッドソールを構成して、別途のアウトソールと結合し、甲皮４００と連結することで履き物を形成することもできる。その外に、当業者によって実施可能ないずれの方法によっても構成することができる。
【００５９】
本実施形態にかかるソール構造を有する履き物は、このようなソール構造を形成しながらも、見掛け上には、通常の履き物のように、踵部位を足指部位よりやや高くして甲皮４００と連結して形成するので、美麗な見掛けを提供することができる。
【００６０】
以上説明したように、本考案の実施形態にかかる履き物のソール構造によれば、材質の相違なる多重のソールが、立体的に結合して履き物のソールを形成する。その結果、履き物の着用時、上り坂の道を上がるような運動効果、山登りをするような運動効果をもたらすことができる。すなわち、本実施形態にかかるソール構造によれば、足指部位を上げて歩く特別な形態の歩行を可能にして、上記の運動効果をもたらすとともに、中足骨部１１０を基準として前後に自然な勾配変化を形成することができるので、柔らかな運動効果（適度な運動効果）をもたらすことができる。また、本実施形態にかかるソール構造は、衝撃吸収力に優れており、関節と足首を保護することが可能であり、着用時の適度な着用感、快適感及び楽さを提供することができる。さらに、見掛け上一般の履き物と違いが無く、普段の着用にも不便をもたらすことがないという効果がある。
【００６１】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【産業上の利用可能性】
【００６２】
本考案は、履き物のソール構造に適用可能である。
【図面の簡単な説明】
【００６３】
【図１】本考案の実施形態にかかる履き物のソール構造を示す分解斜視図である。
【図２】図１の同実施形態にかかるソール構造を持つ履き物のＡ−Ａ’線に沿った内部及び外部構造を示す断面図である。
【図３】同実施形態にかかるソール構造の着用後、立っている状態を示す断面図である。
【図４】同実施形態にかかるソール構造の着用後、歩行する状態を示す断面図である。
【図５】同実施形態にかかるソール構造を持つ履き物のＢ−Ｂ’線に沿った断面図である。
【図６】同実施形態にかかる履き物のソール構造の変形例を示す分解斜視図である。
【図７】図６の同実施形態にかかるソール構造の変形例を有する履き物を示す断面図である。
【図８ａ】同実施形態にかかる履き物のソール構造の多様な変形例を示す断面図である。
【図８ｂ】同実施形態にかかる履き物のソール構造の多様な変形例を示す断面図である。
【図９ａ】同実施形態にかかる履き物のソール構造のその他の多様な変形例を示す断面図である。
【図９ｂ】同実施形態にかかる履き物のソール構造のその他の多様な変形例を示す断面図である。
【図９ｃ】同実施形態にかかる履き物のソール構造のその他の多様な変形例を示す断面図である。
【符号の説明】
【００６４】
１００    メインソール
１１０    中足骨部
１２０    前部
１３０    後部
１４０    切開孔
１５０    空気トンネル
１６０    空気循環溝
１７０    陥没孔
１８０    健康材料
１９０    第１ポンプ形成凹部
１９５    チューブ定着溝
２００    前クッションソール
２５０    連結部
３００    後クッションソール
３１０    外側部
３２０    内側部
３３０    突出部
３４０    第２ポンプ形成凹部
３５０    健康材料
４００    甲皮
５００    インソール
５１０    空気循環孔
５４０    切開孔
６００    チューブ
【図１】
0003126681.tif 000003
【図２】
0003126681.tif 000004
【図３】
0003126681.tif 000005
【図４】
0003126681.tif 000006
【図５】
0003126681.tif 000007
【図６】
0003126681.tif 000008
【図７】
0003126681.tif 000009
【図８ａ】
0003126681.tif 000010
【図８ｂ】
0003126681.tif 000011
【図９ａ】
0003126681.tif 000012
【図９ｂ】
0003126681.tif 000013
【図９ｃ】
0003126681.tif 000014